(57)【要約】【課題】空気調和機の受信部に関わり、受信装置前方に位置する前面グリルに別部品の受信部カザリダイを取付けた構成のため、部品点数及び取付け工数が必要であり、また前面グリルとの嵌合調整を必要とする課題を有していた。【解決手段】受信装置の前方に位置する前面グリルの肉厚を減肉させ、受信部カザリダイの別部品を前面グリルと一体成型させた。【選択図】図１
2008039352.tif 000002
【特許請求の範囲】
【請求項１】
室内ユニットと室外ユニットとを接続配管により連結して構成される分離型および室内ユニットと室外ユニットが一体となった一体型空気調和機において、前記室内ユニットの前面グリルにリモコンから送られた運転、停止等の信号を受信する受信部が設けられ前記受信部が前記前面グリルと一体成型したことを特徴とする空気調和機。
【請求項２】
一体成型した受信部が前面グリル面より突出した形状にしたことを特徴とする請求項１に記載の空気調和機。
【発明の詳細な説明】
【技術分野】
【０００１】
本発明は、空気調和機に関するものである。
【背景技術】
【０００２】
従来の空気調和機における受信部の構成としては、前面グリルに別部品で設けられた受信部カザリダイを前面グリルにツメ等で係合されていた（例えば、特許文献１参照）。
【０００３】
図９および図１０、図１１、図１２は、前記特許文献１に記載された従来の空気調和機の受信部構成を示すものである。
【０００４】
図９および図１０、図１１、図１２において、１は室内ユニットで台枠２の上に熱交換器、送風機、駆動用のモータ（図示せず）が配設されている。室内ユニット１の前面を覆う意匠的な前面グリル３の上方には空気を吸込む吸込み口４と開閉自在に別体で前面グリル３に取り付けられている可動パネル５の下方に設けた第１の吸込み部６、上方に設けた第２の吸込み部７からなる吸込み口８より室内の空気を吸い込み可動パネル５と熱交換器との間に配設された集塵するためのエアフィルタ（図示せず）が前面グリル３に設けたガイドレール（図示せず）に沿って装着される。運転、停止や温度設定を受信する受信装置９の前方の前面グリル３には別部品の受信部カザリダイ１０がツメ等の係合で取り付けられる構成となっている。
【特許文献１】特開２００４−２５７６２４号公報
【発明の開示】
【発明が解決しようとする課題】
【０００５】
しかしながら、上記従来の構成では、前面グリルに別部品で取付けられる受信部カザリダイは前面グリルと嵌合調整を必要とし、組立工数も発生していた。意匠的にも別部品である受信部カザリダイのラインが気になる構成であった。
【０００６】
本発明はこのような従来の課題を解決するものであり、前記前面グリルに受信部カザリダイを一体成型することにより部品点数の削減、前面グリルとの嵌合調整、組立工数も不要とし、意匠的にも外観意匠の意匠性を高める空気調和機を提供することを目的とする。
【０００７】
また、上記従来の構成では、受信部カザリダイが前面グリル表面と同一面のため、受信性が悪いという課題を有していた。
【０００８】
本発明はこのような従来の課題を解決するものであり、一体成型した受信部が前面グリル面より突出した形状にして受信面を広くし、また広角でリモコンの信号を受信でき、受信性を高める空気調和機を提供することを目的とする。
【課題を解決するための手段】
【０００９】
前記従来の課題を解決するために、本発明の請求項１に記載の空気調和機は、前面グリルに受信部カザリダイを一体成型したものである。
【００１０】
本構成によって、部品点数の削減、前面グリルとの嵌合調整、組立工数を不要とし、意匠的にも外観意匠の意匠性を高めることができるものである。
【００１１】
また、請求項２に記載の発明は、一体成型した受信部が前面グリル面より突出した形状にしたものである。
【００１２】
本構成によって、受信部が前面グリル表面から突出した形状としたため、受信面が広くなり、また広角でリモコンの信号を受信でき、受信性を高めることができものである。
【発明の効果】
【００１３】
上記から明らかなように、本発明の空気調和機は、前面グリルに受信部カザリダイを一体成型したもので、この構成によれば、部品点数の削減、前面グリルとの嵌合調整、組立工数を不要とし、意匠的にも外観意匠の意匠性を高めるという効果を奏する。
【００１４】
また、本発明は、一体成型した受信部が前面グリル面より突出した形状にしたもので、この構成によって、受信部が前面グリル表面から突出した形状としたため、受信面が広くなり、また広角でリモコンの信号を受信でき、受信性を高めるという効果を奏する。
【発明を実施するための最良の形態】
【００１５】
第１の発明は室内ユニットと室外ユニットとを接続配管により連結して構成される分離型および室内ユニットと室外ユニットが一体となった一体型空気調和機において、前記室内ユニットの前面グリルに開閉自在に取り付けた可動パネルの下方に設けた第１の吸込み部、上方に設けた第２の吸込み部を具備した空気調和機において前面グリルに受信部カザリダイを一体成型することにより部品点数の削減、前面グリルとの嵌合調整および組立工数を不要とし、意匠的にも外観意匠の意匠性を高めることができる。
【００１６】
第２の発明は、一体成型した受信部が前面グリル面より突出した形状にしたもので、この構成により受信部が前面グリル表面から突出した形状としたため、受信面が広くなり、また広角でリモコンの信号を受信でき、受信性を高めることができる。
【００１７】
以下本発明の実施の形態について、図面を参照しながら説明する。なお、この実施の形態によって本発明が限定されるものではない。
【００１８】
（実施の形態１）
図１は、本発明の第１の実施の形態における空気調和機の正面図で、図２は、右側面図、図３は、右側斜視図、図４は、右側裏面斜視図である。図１から図４において、従来の技術の図９から図１２と同じ構成要素については同じ符号を用い、説明を省略する。
【００１９】
図１から図４において、符号１で総括的に示すのは空気調和気の室内ユニットであり、図示しない接続配管、電源接続線、信号接続線等を介して図示しない室外ユニットと接続され、室内の壁面に設置されて、室内の冷暖房を主体に行うものである。室内ユニット１の外観は、樹脂成型の台枠２と前記台枠２の前面に設けられる樹脂成型の前面グリル３と前記前面グリル３の前面に開閉自在に着脱可能に取り付けた樹脂成型の可動パネル５とから構成されている。また、前面パネル３の上方には吸込み口４と可動パネル５には下方に設けた第１の吸込み部６、上方に設けた第２の吸込み部７より室内の空気を吸込み後方に配設されたエアフィルタ（図示せず）で吸込み空気を濾過する構成になっている。運転、停止のリモコン（図示せず）からの信号の受信は前面グリル３の後方に位置する受信装置９で受信する構成になっている。
【００２０】
以上のように構成された空気調和機について、以下その動作、作用を説明する。
【００２１】
リモコンによって運転信号を飛ばし、空気調和機の室内ユニット１の外観意匠である前面グリル３の後方に位置する受信装置９で信号を受け、運転を開始する。前記前面グリル３の受信部１１は、信号の透過性を良くするため前記前面グリル３の肉厚より減肉している。まず、空気を取り入れる前面グリル３上方に設けた吸込み口４と可動パネル５の上方
に設けた第２の吸込み部７、下方に設けた第１の吸込み部６より駆動用のモータ（図示せず）と送風機（図示せず）で吸込んだ室内空気を前面グリル３に設けたガイドレール（図示せず）に配設したエアフィルタ（図示せず）を通過することにより埃等を濾過して吸込まれた空気は熱交換器（図示せず）で熱交換され、前面グリル３の底面前方に傾斜して配置される吹出し部１２より吹出される。
【００２２】
以上のように、本実施の形態において前面グリル３に受信部１１を一体成型することにより部品点数の削減、前面グリルとの嵌合調整および組立工数を不要とし、意匠的にも外観意匠の意匠性を高めさせることができる。
【００２３】
（実施の形態２）
図５は、本発明の第２の実施の形態における空気調和機の前面グリルの正面図で、図６は、右側面図、図７は右側斜視図、図８裏面斜視図である。図５から図８において、図１から図４、図９から図１２と同じ構成要素については同じ符号を用い、説明を省略する。
【００２４】
図５から図８において、一体成型した受信部１１が前面グリル３の表面より突出した形状にした構成になっている。
【００２５】
以上のように、本実施の形態において、一体成型した受信部１１が前面グリル３の表面より突出した形状にした構成にすることにより、受信面が広くなり、また広角でリモコンの信号を受信でき、受信性を高めることができる。
【産業上の利用可能性】
【００２６】
以上のように、本発明にかかる空気調和機は、前面グリルに受信部カザリダイを一体成型することにより部品点数の削減、前面グリルとの嵌合調整および組立工数を不要とし、意匠的にも外観意匠の意匠性を高めさせる。
【００２７】
また、本発明は、一体成型した受信部が前面グリル面より突出した形状にしたもので、この構成により受信部が前面グリル表面から突出した形状としたため、受信面が広くなり、また広角でリモコンの信号を受信でき、受信性を高めさせることができるもので、空気調和機の用途にも適用できる。
【図面の簡単な説明】
【００２８】
【図１】本発明の実施の形態１における空気調和機の正面図
【図２】同一実施形態の空気調和機の右側面図
【図３】同一実施形態の空気調和機の右側斜視図
【図４】同一実施形態の空気調和機の右側裏面斜視図
【図５】本発明の実施の形態２における空気調和機の正面図
【図６】同一実施形態の空気調和機の右側面図
【図７】同一実施形態の空気調和機の右側斜視図
【図８】同一実施形態の空気調和機の右側裏面斜視図
【図９】従来の空気調和機の正面図
【図１０】従来の空気調和機の右側斜視図
【図１１】従来の空気調和機の右側裏面斜視図
【図１２】従来の空気調和機の右側裏面斜視図
【符号の説明】
【００２９】
３  前面グリル
５  可動パネル
９  受信装置
１０  受信部カザリダイ
１１  受信部
【図１】
2008039352.tif 000003
【図２】
2008039352.tif 000004
【図３】
2008039352.tif 000005
【図４】
2008039352.tif 000006
【図５】
2008039352.tif 000007
【図６】
2008039352.tif 000008
【図７】
2008039352.tif 000009
【図８】
2008039352.tif 000010
【図９】
2008039352.tif 000011
【図１０】
2008039352.tif 000012
【図１１】
2008039352.tif 000013
【図１２】
2008039352.tif 000014